(57)【要約】【課題】効率的に監視画像の作成を行うことを目的とする。【解決手段】監視画像１の作成装置を、表示用のモジュールを実行することが可能な構成とし、表示部品が編集操作領域と動作確認操作領域とを備える構成とすることにより、編集操作領域を用いて監視画像１の作成を行いながら、動作確認操作領域を用いて動作確認を行うことができるため、装置を切り替えることなく効率的に監視画像１の作成を行うことができる。【選択図】図１
2017062635.tif 000002
【特許請求の範囲】
【請求項１】
監視画像を作成する装置であって、
前記監視画像を編集する編集画面を表示するモニターと、
前記編集画面の制御を行う演算装置とを備え、
前記編集画面は表示部品選択画面，作業画面およびプロパティ画面からなり、
前記表示部品選択画面は前記監視画像を構成する表示部品が列挙され、
前記作業画面では前記表示部品が選択されて前記監視画像の配置が行われ、
前記プロパティ画面では前記表示部品と外部設備との間にリンク情報が書き込まれ、
前記リンク情報に応じて前記演算装置はリンクを設定すると共に必要な場合には前記表示部品を動作させるスクリプトを作成し、
前記表示部品は編集操作領域と動作確認操作領域とを含んでおり、
前記編集操作領域を選択することにより前記監視画像が編集可能な状態になり、前記動作確認操作領域を選択して実行することにより前記作業画面上で前記表示部品の動作が確認できる状態となる
ことを特徴とする監視画像の作成装置。
【請求項２】
監視画像を作成する装置であって、
前記監視画像を編集する編集画面を表示するモニターと、
前記編集画面の制御を行う演算装置とを備え、
前記編集画面は表示部品選択画面，作業画面およびプロパティ画面からなり、
前記表示部品選択画面は前記監視画像を構成する表示部品が列挙され、
前記作業画面では前記表示部品が選択されて前記監視画像の配置が行われ、
前記プロパティ画面では前記表示部品と外部設備との間にリンク情報が書き込まれ、
前記リンク情報に応じて前記演算装置はリンクを設定すると共に必要な場合には前記表示部品を動作させるスクリプトを作成し、
前記表示部品は編集操作領域と動作確認操作領域とを含んでおり、
同一の前記編集画面上で編集モードと動作確認モードとに切り換え可能であり、前記編集モードが選択されると前記編集操作領域を用いて前記監視画像の編集が可能な状態となり、前記動作確認モードが選択されると前記動作確認操作領域を実行して前記作業画面上で前記表示部品の動作が確認できる状態となる
ことを特徴とする監視画像の作成装置。
【請求項３】
前記外部設備が外部設備の部品および外部データのいずれかまたは両方を含むことを特徴とする請求項１または請求項２に記載の監視画像の作成装置。
【請求項４】
前記監視画像の編集および前記表示部品の動作確認を制御するプログラムを格納する記憶装置を有し、
前記演算装置が前記プログラムを実行する
ことを特徴とする請求項１〜請求項３のいずれか１項に記載の監視画像の作成装置。
【請求項５】
監視画像を表示部品ごとに作成する方法であって、
前記表示部品が編集操作領域と動作確認操作領域とを含み、
前記監視画像の作成装置は前記編集操作領域を選択することにより前記監視画像を編集し、前記動作確認操作領域を選択して実行することにより前記監視画像の作成装置上で前記表示部品の動作を確認する構成であり、
前記表示部品の前記編集操作領域を選択して前記表示部品の配置を行う工程と、
前記編集操作領域を選択した状態で前記表示部品と外部設備との間にリンクを設定する工程と、
前記動作確認操作領域を選択して前記表示部品の動作を確認する工程と
を有することを特徴とする監視画像の作成方法。
【請求項６】
前記リンクを設定する前または後に前記編集操作領域を選択した状態で前記表示部品を動作させるスクリプトを作成する工程
をさらに有することを特徴とする請求項５記載の監視画像の作成方法。
【請求項７】
編集画面を表示するモニターとコンピュータを用いて表示部品ごとに監視画像を作成する監視画像作成プログラムであって、
前記コンピュータに、
前記表示部品として前記編集画面上に編集操作領域および動作確認操作領域を表示させ、
前記表示部品の前記編集操作領域が選択された状態で前記表示部品の配置を行わせる手順と、
前記表示部品の前記編集操作領域が選択された状態で前記表示部品と外部設備との間にリンクを設定させる手順と、
前記表示部品の前記動作確認操作領域を選択して前記表示部品の動作を確認させる手順と
を実行させることを特徴とする監視画像作成プログラム。
【請求項８】
編集画面を表示するモニターとコンピュータを用いて表示部品ごとに監視画像を作成する監視画像作成プログラムであって、
前記コンピュータに、
外部からの入力に応じて同一の前記編集画面上で編集モードと動作確認モードとに切り換えさせ、
前記編集モードでは前記表示部品として前記編集画面上に編集操作領域を表示させ、前記動作確認モードでは前記表示部品として前記編集画面上に動作確認操作領域を表示させ、
前記表示部品の前記編集操作領域が表示された状態で前記表示部品の配置を行わせる手順と、
前記表示部品の前記編集操作領域が表示された状態で前記表示部品と外部設備との間にリンクを設定させる手順と、
前記表示部品の前記動作確認操作領域が表示された状態で前記表示部品の動作を確認させる手順と
を実行させることを特徴とする監視画像作成プログラム。
【発明の詳細な説明】
【技術分野】
【０００１】
工場等の稼働設備の遠隔監視，遠隔操作を行う際に用いる監視画像の作成装置、作成プログラムおよび作成方法に関する。
【背景技術】
【０００２】
工場をはじめとする稼働設備においては、稼働設備から離れた場所にて、稼働設備の状況を監視し、稼働設備の稼働状況を制御する場合がある。遠隔監視，遠隔操作は、ＰＣ等の制御装置のモニターに表示される画像を用いて行われる場合がある。このような画像は、例えば、工場のスイッチや各種機器等の部品をイラスト等で表示し、温度や数量，重量等の監視対象を数値やメーターで表示することにより、直感的に作業者が状況を把握し、操作をしやすいようにしている。このような画像をここでは監視画像と称する。
【０００３】
従来、監視画像を作成する際には、作成者は、まず、監視画像の作成装置の作業画面上に、ランプやスイッチ，機器，メーター等を示す表示部品を配置する。表示部品はあらかじめ作成された表示部品あるいは開発の際に作成した表示部品を用いることができる。表示部品が配置されると、次に、各表示部品を稼働設備の対応するスイッチや機器等の部品とリンクさせる。リンクは、各表示部品と対応する部品との間で、数値や状態を一致させることを言う。さらに、各表示部品と対応する部品とで状態を一致させる場合には、部品を動作させるためのスクリプトを関連付ける。このような表示部品ごとにリンクとスクリプトとを設けることにより、表示部品ごとの表示用データを形成する。このような表示用データにより、例えば、稼働設備のあるスイッチがｏｆｆになると監視画像の対応する表示部品がｏｆｆを示し、監視画像の表示部品をｏｎにすると稼働設備の対応するスイッチがｏｎされる。また、稼働設備のある部品の温度が１８０℃になると監視画像の対応する表示部品が１８０℃を示す。
【先行技術文献】
【特許文献】
【０００４】
【特許文献１】特開２００６−１３４０９９号公報
【発明の概要】
【発明が解決しようとする課題】
【０００５】
しかしながら、従来の監視画像の作成装置および作成方法では、監視画像の作成中に稼働設備の部品を動作させたり、部品の状態をモニターする監視画像の動作確認をしたりすることができず、監視画像の作成装置で完成させた表示用データを、監視画像の動作確認装置あるいは動作確認ソフトに移行して動作確認を行う必要があった。そのため、ある程度監視画像の作成が進んでからしか動作確認を行えず、動作に問題があったとしても随時問題を発見し、修整できないため、効率的な監視画像の作成が行えないという問題点があった。
【０００６】
本発明は、上記問題点を解決するために、効率的に監視画像の作成を行うことを目的とする。
【課題を解決するための手段】
【０００７】
上記目的を達成するために、本発明の一実施形態である監視画像の作成装置は、監視画像を作成する装置であって、前記監視画像を編集する編集画面を表示するモニターと、前記編集画面の制御を行う演算装置とを備え、前記編集画面は表示部品選択画面，作業画面およびプロパティ画面からなり、前記表示部品選択画面は前記監視画像を構成する表示部品が列挙され、前記作業画面では前記表示部品が選択されて前記監視画像の配置が行われ、前記プロパティ画面では前記表示部品と外部設備との間にリンク情報が書き込まれ、前記リンク情報に応じて前記演算装置はリンクを設定すると共に必要な場合には前記表示部品を動作させるスクリプトを作成し、前記表示部品は編集操作領域と動作確認操作領域とを含んでおり、前記編集操作領域を選択することにより前記監視画像が編集可能な状態になり、前記動作確認操作領域を選択して実行することにより前記作業画面上で前記表示部品の動作が確認できる状態となることを特徴とする。
【０００８】
また、監視画像を作成する装置であって、前記監視画像を編集する編集画面を表示するモニターと、前記編集画面の制御を行う演算装置とを備え、前記編集画面は表示部品選択画面，作業画面およびプロパティ画面からなり、前記表示部品選択画面は前記監視画像を構成する表示部品が列挙され、前記作業画面では前記表示部品が選択されて前記監視画像の配置が行われ、前記プロパティ画面では前記表示部品と外部設備との間にリンク情報が書き込まれ、前記リンク情報に応じて前記演算装置はリンクを設定すると共に必要な場合には前記表示部品を動作させるスクリプトを作成し、前記表示部品は編集操作領域と動作確認操作領域とを含んでおり、同一の前記編集画面上で編集モードと動作確認モードとに切り換え可能であり、前記編集モードが選択されると前記編集操作領域を用いて前記監視画像の編集が可能な状態となり、前記動作確認モードが選択されると前記動作確認操作領域を実行して前記作業画面上で前記表示部品の動作が確認できる状態となることを特徴とする。
【０００９】
また、本発明の一実施形態である監視画像の作成方法は、稼働設備の監視画像を監視画像の作成装置を用いて表示部品ごとに作成する方法であって、前記表示部品が編集操作領域と動作確認操作領域とを含み、前記監視画像の作成装置は前記編集操作領域を選択することにより前記監視画像を編集し、前記動作確認操作領域を選択して実行することにより前記監視画像の作成装置上で前記表示部品の動作を確認する構成であり、前記表示部品の前記編集操作領域を選択して前記表示部品の配置を行う工程と、前記編集操作領域を選択した状態で前記表示部品と外部設備との間にリンクを設定する工程と、前記動作確認操作領域を選択して前記表示部品の動作を確認する工程とを有することを特徴とする。
【００１０】
また、本発明の一実施形態である監視画像作成プログラムは、編集画面を表示するモニターとコンピュータを用いて表示部品ごとに監視画像を作成する監視画像作成プログラムであって、前記コンピュータに、前記表示部品として前記編集画面上に編集操作領域および動作確認操作領域を表示させ、前記表示部品の前記編集操作領域が選択された状態で前記表示部品の配置を行わせる手順と、前記表示部品の前記編集操作領域を選択した状態で前記表示部品と外部設備との間にリンクを設定させる手順と、前記表示部品の前記動作確認操作領域を選択して前記表示部品の動作を確認させる手順とを実行させることを特徴とする。
【００１１】
また、編集画面を表示するモニターとコンピュータを用いて表示部品ごとに監視画像を作成する監視画像作成プログラムであって、前記コンピュータに、外部からの入力に応じて同一の前記編集画面上で編集モードと動作確認モードとに切り換えさせ、前記編集モードでは前記表示部品として前記編集画面上に編集操作領域を表示させ、前記動作確認モードでは前記表示部品として前記編集画面上に動作確認操作領域を表示させ、前記表示部品の前記編集操作領域が表示された状態で前記表示部品の配置を行わせる手順と、前記表示部品の前記編集操作領域が表示された状態で前記表示部品と外部設備との間にリンクを設定させる手順と、前記表示部品の前記動作確認操作領域が表示された状態で前記表示部品の動作を確認させる手順とを実行させることを特徴とする。
【発明の効果】
【００１２】
以上のように、表示用データを実行することが可能な構成とし、表示部品が編集操作領域と動作確認操作領域とを備える構成とすることにより、編集操作領域を用いて監視画像の作成を行いながら、動作確認操作領域を用いて動作確認を行うことができるため、装置を切り替えることなく効率的に監視画像の作成を行うことができる。
【図面の簡単な説明】
【００１３】
【図１】稼働設備と監視画像との構成を例示する図
【図２】表示部品の構成を説明する図
【図３】稼働設備の部品と監視画像の表示部品との関連付けを説明する図
【図４】監視画像の作成装置の構成を例示する概略図
【図５】監視画像の作成装置における編集画面の構成を例示する図
【図６】監視画像の作成方法のフローを示す図
【発明を実施するための形態】
【００１４】
稼働設備としては、工場や実験・研究施設，農業用の散水機をはじめとする農業設備，医療施設等のあらゆる設備が該当し、稼働設備では各種機器や装置等（以下部品と総称する）が稼働する。例えば、水道，ガス等のインフラ設備や空調，エネルギー消費等の監視，制御設備等のＳＣＡＤＡ（Ｓｕｐｅｒｖｉｓｏｒｙ  Ｃｏｎｔｒｏｌ  Ａｎｄ  Ｄａｔａ  Ａｃｑｕｉｓｉｔｉｏｎ）が含まれる。また、これらの稼働設備は離れた場所から稼働設備やその部品の状況を監視し、稼働設備やその部品の稼働状況を制御する場合がある。例えば、工場や実験・研究施設では、機器や装置，スイッチ，ランプ等が部品として用途に応じて稼働しており、機器や装置，スイッチの動作が遠隔操作され、ランプ等の部品や製造された製品，製造に用いられる材料あるいは実験対象物の状態等が遠隔監視される。また、医療施設では、患者のバイタル等をナースセンター等で遠隔監視し、監視結果に基づいて医療機器等を遠隔操作する。このような遠隔監視や遠隔操作は、ＰＣ等の制御装置のモニターに表示される監視画像を用いて行われる。このような監視画像は、稼働設備内の機器や装置，スイッチ等の各部品の状況をイラストや写真，動画等の表示部品で表示し、各部品や材料等の温度や数量，重量等の監視対象を数値やメーターの表示部品で表示する。また、機器や装置，スイッチ等の表示部品は、制御画面上で監視画像の表示部品を操作することにより、稼働装置内の対応する機器や装置，スイッチ等の各部品を操作することが可能な構成である。例えば、制御画面上の表示部品を操作することにより、稼働設備内のスイッチを切り替えたり、装置の動作を変更したりすることができる。このように、表示部品により直感的に作業者が稼働設備の状況を把握し、稼働設備の操作をしやすいようにすることができる。表示部品は現場の物の動きをシミュレーションする動画、リンクされたデータによって移動、回転、拡大、縮小できる線画または画像等がある。
【００１５】
このような、監視画像を作成する際に、本発明では、例えば、監視画像の作成装置は、編集操作機能と動作確認操作機能とを実行できる構成である。監視画像の作成装置は、編集操作状態では作業画面上で表示部品の配置位置を設定し、表示部品と対応する部品にリンク設定すると共に、表示部品の動作を制御する場合や表示部品によって部品を動作させる場合は、表示部品の動作を制御するスクリプトや部品を動作させるスクリプトを作成することができる。各表示部品とそのリンク情報およびスクリプトは関連付けられ、表示部品ごとの表示用データを形成する。監視画像の作成装置は、編集操作状態では表示用データを表示部品ごとあるいは監視画像全体の表示部品について実行できる構成であり、リンクされた部品の状況に応じて表示部品を変化させたり、リンクされた部品がもつ数値を表示部品に表示させたりする。また、編集操作状態では、編集されたスクリプトをコンパイルする機能を備え、表示用データの実行に先立ち、スクリプトを実行可能な形式に変換することができる。編集完了されたスクリプトはすぐに実行することができる。さらに、表示部品は、編集操作領域と動作確認操作領域とから構成される。作業画面上で表示部品の編集操作領域と動作確認操作領域とは重なっており、作業画面上で編集操作状態と動作確認操作状態とに表示部品の状態を容易に切り替えることができる。
【００１６】
そして、監視画像を作成する際には、表示部品が編集操作状態にされ、表示部品が作業画面の監視画像に対応する位置に配置される。さらに、表示部品と対応する稼動装置の部品とのリンクが形成され、必要に応じて表示部品に対応するスクリプトが作成され、表示用データが作成される。このような動作が監視画像に配置する表示部品の分だけ繰り返される。この際、１つの表示用データの作成ごと、あるいは複数の表示用データの作成後に、表示用データの動作確認を行うことができる。編集操作状態と動作確認操作状態との切り替えは、実行プログラムを変更することにより行うこともできるが、表示部品にて編集操作領域または動作確認操作領域を選択することによっても行うことができる。実行プログラムを変更する場合も、作業画面は見かけ上変化せず、表示部品をクリック等して実行することにより動作確認を行うことができる。切り換え動作は、作業画面上等に切り換えスイッチを設け、この切り換えスイッチにより切り換える。編集操作領域または動作確認操作領域を選択することにより切り換える場合は、編集操作領域をクリック等して選択することにより表示部品の編集を行うことができ、動作確認操作領域をクリック等して実行することにより動作確認を行うことができる。
【００１７】
このように、監視画像の作成装置が編集操作機能と動作確認操作機能とを実行できる構成とされ、表示部品が編集操作領域と動作確認操作領域とを有する構成とすることにより、編集操作領域を用いて監視画像の作成を行いながら、動作確認操作領域を用いて動作確認を行うことができるため、装置を切り替えることなく効率的に監視画像の作成を行うことができる。
【００１８】
なお、ここでは稼働設備の部品を表示部品として表示させる場合を例に説明したが、表示部品とリンクさせる外部設備としては、稼働設備の部品以外にも、ｗｅｂ上に保存されているデータや、稼働設備以外の装置に保存されているデータ等の外部データも含まれる。表示部品と外部データをリンクさせた場合は、表示部品は外部データそのものを数字で表示したり、外部データを加工して変換値やグラフ、表等を表示したりすることができる。外部データの変換はスクリプトを作成して行うことができる。
【００１９】
以下、本発明の監視画像の作成装置および作成方法の実施の形態として、外部設備として稼働設備である工場を例に図面を用いて説明する。
図１は稼働設備と監視画像との構成を例示する図、図２は表示部品の構成を説明する図、図３は稼働設備の部品と監視画像の表示部品との関連付けを説明する図、図４は監視画像の作成装置の構成を例示する概略図、図５は監視画像の作成装置における編集画面の構成を例示する図、図６は監視画像の作成方法のフローを示す図である。
【００２０】
まず、図１を用いて工場の部品と監視画像の表示部品との関係を説明する。
図１に示すように、稼働設備の一例である工場２は、製造装置３が設置されている。製造装置３は、タンク４，５からそれぞれ必要な量の原料が供給され、製品を製造する。原料の供給は、それぞれのタンク４，５と製造装置３との間に設置されるバルブ６，７によって調整される。タンク４，５は蓄えられる原料の量をモニターできる構成である。それぞれのタンク４，５から製造装置３に供給される原料の量はそれぞれセンサー８，９で測定される。製造装置３は、製造された製品を出力するスイッチ１０を備え、さらに製造装置３の内部温度を測定することができる。これらの、製造装置３，タンク４，５，バルブ６，７，センサー８，９およびスイッチ１０が部品となる。
【００２１】
このような工場２を制御する画像は例えば監視画像１のようになる。監視画像１は、ＣＰＵ等の演算装置を内蔵したＰＣ等の制御装置５０のモニター上に表示され、ｗｅｂブラウザーにより表示されても良いし、制御装置５０上で動作する専用プログラムにより表示されても良い。工場２と監視画像１を表示するＰＣ等の制御装置５０とは、ＬＡＮ等の無線または有線の回線２４により接続され、デバイス２５を介してデータが送受信される。工場２の部品である製造装置３に対応する表示部品は１３である。同様に、タンク４，５は表示部品１４，１５に対応し、バルブ６，７は表示部品１６，１７に対応し、センサー８，９は表示部品１８，１９に対応し、スイッチ１０は表示部品２０に対応する。さらに、監視画像１は、タンク４，５それぞれに蓄えられる原料の残量を示すメーターをそれぞれ表示部品１１，１２として備える。また、監視画像１は、製造装置３の温度を表示するメーターを表示部品２１として備え、この温度があらかじめ定めた温度以上になると点灯するランプを表示部品２２として備える。なお、このランプに対応する、温度の上昇を警告する部品が工場２に実際に存在していても良い。メーターである表示部品１１，１２，１８，１９，２１は工場で測定された値を示すように動作して表示される。また、動作スイッチである表示部品１６，１７，１８を監視画像１上で画面タッチやマウスクリック等の操作をすることにより、工場２のバルブ６，７を開閉し、スイッチ１０により製品の出力の開始／停止を操作するといった、工場２を実際に動作させることができる。
【００２２】
次に、図１〜図３を用いて工場２の部品と監視画像１の表示部品との関連付けについて説明する。
監視画像１の表示部品と工場２の対応する部品とは、リンクが形成されることにより関連付けられる。リンクは、回線２４とデバイス２５を介して表示部品と部品とをデータ送受信可能なように接続することにより確立される。さらに、表示部品は必要に応じてスクリプトを備える。スクリプトは、工場２の部品から送信されるデータに応じて表示部品を動作させるスクリプトと、表示部品を操作することにより動作し、工場の部品を動作させるスクリプトがあり、必要に応じて表示部品と関連付けられる。図２に示すように、各表示部品２３は、監視画像の作成の際に選択される編集操作領域２６と、作成された表示部品２３の動作確認に用いる動作確認操作領域２７とから構成される。編集操作領域２６は、表示部品２３に対応する画像データと位置情報を備える。動作確認操作領域２７は、対応するリンク情報およびスクリプトが関連付けられており、表示用データを構成する。また、デバイス２５としては、Ｉ／ＯデバイスやＰＬＣ等が用いられる。Ｉ／Ｏデバイスは、工場２の部品と監視画像１の表示部品との間でデータの送受信のみを行う。ＰＬＣは、工場２の部品または監視画像１の表示部品から受信したデータを変換し、監視画像１の表示部品または工場２の部品に送信する。なお、外部データとリンクする場合はｗｅｂサーバや通信回線等を介してリンクされる場合もある。
【００２３】
例えば、図３に示すように、工場２のタンク４の原料の残量を示すメーターである監視画像の表示部品１１は、タンク４で測定された原料の残量をデータとして受信し、受信したデータに応じてスクリプトが動作して表示部品１１を残量に応じた状態に表示する。例えば、残量が２５ｋｇの場合、メーターが２５ｋｇを指すように表示部品１１を表示させる。データの転送を仲介するデバイスとしては、データの変換が必要ないのでＩ／Ｏデバイス２８が用いられる。同様に、センサー８で測定されたデータはＩ／Ｏデバイス３０を介してメーターである表示部品１８に送信され、表示部品１８は送信されたデータに応じた表示を行う。メーターである表示部品２１も、Ｉ／Ｏデバイス３１を介して製造装置３内の温度をデータとして受信し、そのデータに応じた状態で表示される。また、バルブ６の開閉を監視，制御するスイッチである表示部品１６は、デバイスとしてＰＬＣ２９を介してバルブ６とデータの送受信を行う。バルブ６の開閉状態を示すデータは表示部品１６に送信され、データに応じて表示部品１６の表示状態をＯＮ／ＯＦＦに変化させる。監視画像１で表示部品１６のＯＮ／ＯＦＦを変化させると、その状態を示すデータがＰＬＣ２９に送信され、ＰＬＣ２９は受信したデータをバルブ６を開閉させるデータに変換してバルブ６に送信し、バルブ６を開閉させる。同様に、ＰＬＣ３２は製造装置３内の温度をデータとして受信し、あらかじめ定めた温度以上であるかどうかを判断し、判断結果に応じて表示部品２２の表示状態を示すデータを表示部品２２に送信する。表示部品２２はＰＬＣ３２からデータを受信し、データに応じて表示状態を変化させる。例えば、あらかじめ定めた温度以上である場合は赤のランプを、あらかじめ定めた温度以下である場合は緑のランプを表示する。ＰＬＣ３３は、製造装置３のスイッチ１０の状態を示すデータを受信して表示部品２０の状態を制御する信号に変換して表示部品２０に送信し、表示部品２０の状態変化を示すデータを受信してスイッチ１０を動作させるデータに変換してスイッチ１０に送信する。データを受信した表示部品２０はデータに応じた状態を表示し、データを受信したスイッチ１０はデータに応じてスイッチ１０をＯＮ／ＯＦＦして製品の出力を制御することができる。なお、図示していないが表示部品として動画を表示することもできる。例えば、工場２内を撮影した映像を監視画像１に表示する表示部品を設けることもでき、この映像により工場２内を遠隔監視することができる。
【００２４】
次に、図１〜図５を用いて監視画像の作成装置について説明する。
監視画像の作成装置３４はＰＣ等のコンピュータで動作する制御装置であり、作業画面を表示するモニター３５と、監視画像の作成装置３４を動作させるプログラム３６と、監視画像の作成装置３４を制御しプログラム３６を読み込んで実行するＣＰＵ３７等の演算装置と、表示用データに関連付けられるスクリプト３８と、少なくともプログラム３６およびスクリプト３８を格納しＣＰＵ３７が読み込み可能なＲＡＭ，ＲＯＭ等の記憶装置３９と、マウスやキーボード等の入力装置４０とを含む構成である。表示部品２３は画像データを含み、リンク情報とスクリプト３８とが合わさって表示用データを構成し、記憶装置３９等に記憶される。
【００２５】
監視画像の作成の際には、モニター３５に編集画面４１が表示される。編集画面４１は、例えば、作業画面４２と、表示部品選択画面４３とプロパティ画面４４とから構成される。作業画面４２は表示部品２３を配置して監視画像１を外形的に形成する画面である。表示部品選択画面４３は複数の表示部品２３が列挙されており、監視画像１に配置する表示部品２３を選択する画面である。表示部品２３はあらかじめ作成して記憶装置３９等に記憶され、また、ユーザーが別途作成して追加記憶することもできる。プロパティ画面４４は、情報表示部４５と、リンク作成部４６と、スクリプト編集部４７とから構成される。情報表示部４５は、端子情報や配置情報等の、作業画面４２で作業中の表示部品２３の情報を表示する。リンク作成部４６は、表示部品２３のリンクを設定する。リンクの設定は、表示部品２３が接続するデバイス２５のＩＤや端子を指示することにより行う。デバイス２５は１または複数のＩ／ＯデバイスおよびＰＬＣを用いることができ、そのＩＤと端子の情報はあらかじめ設定しておく。スクリプト編集部４７は、必要に応じて表示部品２３を動作させるスクリプト３８を編集する画面である。スクリプト３８は様々な言語で作成できるようにすることができる。また、Ｖａｌｉｄａｔｅボタン４８を備え、Ｖａｌｉｄａｔｅボタン４８を選択することにより、編集したスクリプト３８をコンパイルし、実行可能な状態で格納することもできる。なお、編集画面４１は、Ｗｅｂブラウザーを起動して表示しても良い。編集画面４１を動作させるプログラム３６は、監視画像１の編集操作機能のみならず、リンクを認識して行うデバイス２５からのデータの送受信またはシミュレーションの実行、およびスクリプト３８の実行を行う動作確認操作機能を実行する機能を備える。表示部品２３は常に実行状態にすることができるので、動作確認操作領域２７を操作すると動作し、リンク設定によって、動作の結果をデバイス２５に送信する。またはデバイス２５から受信または入力されたデータは、表示部品２３に反映される。編集中に常に表示部品２３の動作と動きを確認することができる。リンク作成部４６で行われるリンクの修正やスクリプト３８の修正は直ぐ様に表示部品２３の動きに反映する。
【００２６】
また、表示部品２３の表示用データも編集操作領域２６と動作確認操作領域２７とを備える。監視画像１の編集作業においては編集操作領域２６を用いて編集し、動作確認の際は動作確認操作領域２７を動作させて、リンクの確立とスクリプト３８の読み込みを実現させて動作確認を行う。編集作業時には、編集中の表示部品２３は編集操作領域２６がクリック等により選択されることにより、編集枠４９が表示され、編集枠４９をドラッグ＆ドロップ等することにより表示部品２３の配置位置を編集したり、編集枠４９の外形を拡大縮小することにより表示部品２３の表示サイズを変更したりできる。編集操作領域２６を動作確認操作領域２７より広い範囲に設けることにより、表示部品２３をクリック等する場所を変えることで、編集操作領域２６と動作確認操作領域２７とを選択することができる。動作確認時は、動作確認操作領域２７をクリック等することにより、表示部品２３の表示状態が変化すること等を確認することにより動作確認を行うことができる。
【００２７】
次に、図１〜図６を用いて上述の監視画像の作成装置を用いた監視画像の作成方法について説明する。
まず、監視画像の作成装置３４にて編集画面４１を開き、表示部品選択画面４３から監視画像１に表示する表示部品２３を選択し、作業画面４２に配置する。表示部品２３の選択と配置は、例えば、表示部品２３をドラッグ＆ドロップすることにより行う。配置位置の変更およびサイズの変更は、表示部品２３の編集操作領域２６を選択し、編集枠４９により行う（図６のステップ１）。
【００２８】
次に、編集中の表示部品２３と工場２の部品との間にリンクを設定する。リンクの設定は、表示部品２３を選択した状態で、データの送受信が行われるデバイス２５のＩＤと端子番号をリンク作成部４６に書き込むことにより行う。ＩＤと端子番号に対応する符号をあらかじめ登録しておき、その符号、例えば“ａ”を書き込むことにより行うこともできる。デバイス２５は、データ変換の必要性に応じてＩ／ＯデバイスまたはＰＬＣを選択する。デバイス２５は、あらかじめ工場２の対応する部品と接続されており、表示部品２３とデータの送受信を行うデバイス２５が選択される（図６のステップ２）。
【００２９】
次に、必要な場合はスクリプト３８をスクリプト編集部４７上で作成する。スクリプト３８を作成することにより、表示部品２３は監視画像１上で受信したデータに応じて動作したり、表示部品２３から送信するデータに応じて工場２の部品を遠隔制御したりすることができる。スクリプト３８はＶａｌｉｄａｔｅボタン４８によりコンパイルすることができ、エラーがなければ実行される（図６のステップ３）。ここまでで、１つの表示部品２３に対する表示用データの作成が完了する。監視画像１を作成する間に、複数個表示部品２３を画面上に配置することができる。表示部品２３は色々な種類がある。例えば、現場の物を表示する写真、物の動きをシミュレーションする動画、リンク設定によって移動、回転、拡大、縮小できる線画や画像等がある。
【００３０】
次に、この状態で、全ての表示部品２３の編集が終了しているかどうかを判断し（図６のステップ４）、終了していない場合は、この段階で動作確認をするかどうかを判断し（図６のステップ５）、動作確認を行う必要がない場合はステップ１〜ステップ４の動作を繰り返し、全ての表示部品２３の編集が完了するまで別の表示部品２３に対する表示用データの作成を続ける。
【００３１】
全ての表示部品２３の編集が終了している場合または動作確認を行う場合は、全ての表示部品２３または動作確認を要する表示部品２３について動作確認編集領域２７を選択し、表示部品２３をクリックする等して動作確認を行う。監視画像の作成装置３４はリンクを認識し、スクリプト３８を実行できる構成であるため、監視画像の作成装置３４上で動作確認を行うことができる。動作確認は実際に工場２との間でデータの送受信を行うか、シミュレーションで表示部品２３にデータを送信することにより行う。動作確認は、例えばスイッチの場合、編集画面４１上で、スイッチをクリックすることにより表示部品２３のＯＮ／ＯＦＦ状態が変化するかどうかを確認することにより行うこともできる。動作に問題があれば、ステップ１〜ステップ３での処理を確認し、修正する（図６のステップ６）。
【００３２】
そして、動作確認で問題がなければ、全ての表示部品２３の編集が終了しているかどうかを確認し（図６のステップ７）、終了していない場合はステップ１に戻って残りの表示部品２３の編集を行い、終了している場合は編集操作を終了する。
【００３３】
このように、監視画像の作成装置３４が編集操作機能と動作確認操作機能とを実行できる構成とされ、表示部品２３が編集操作領域２６と動作確認操作領域２７とを有する構成とすることにより、編集操作領域２６を用いて監視画像の作成を行いながら、動作確認操作領域２７を用いて動作確認を行うことができるため、装置を切り替えることなく効率的に監視画像１の作成を行うことができる。
【００３４】
なお、プログラム３６により、表示部品２３を表示して配置すると共に、外部部品とのリンクを設定し、表示部品２３の動作確認を行うこともできる。プログラム３６は、編集画面４１上に編集操作領域１６と動作確認操作領域２７とを備える表示部品２３を表示させる。編集操作領域１６が選択された状態で、プログラム３６は、作業者の操作に従って表示部品の表示と配置を行い、作業者が入力したリンク情報に応じて外部設備とのリンクを設定する。動作確認操作領域２７が選択された状態で、プログラム３６は選択されて実行された表示部品２３の動作確認を行う。また、プログラム３６が、監視画像１を編集するためのプログラムと、表示部品２３の動作確認を行うためのプログラムとに分かれており、監視画像の作成装置３４で編集操作時と動作確認操作時で実行するプログラムを切り替えるようにし、編集時は編集用のプログラムを動作させ、動作確認時は動作確認用のプログラムを実行させる構成とすることもでき、この場合でも監視画像の作成装置と動作確認装置とを切り替える必要がなく、効率的に監視画像１の作成を行うことができる。
【００３５】
なお、上記説明は工場を例に説明したが、上述したように稼働装置は工場に限らず任意であり、遠隔監視，遠隔操作する施設であれば本発明を適用することができる。
【符号の説明】
【００３６】
１    監視画像
２    工場
３    製造装置
４    タンク
５    タンク
６    バルブ
７    バルブ
８    センサー
９    センサー
１０    スイッチ
１１    表示部品
１２    表示部品
１３    表示部品
１４    表示部品
１５    表示部品
１６    表示部品
１７    表示部品
１８    表示部品
１９    表示部品
２０    表示部品
２１    表示部品
２２    表示部品
２３    表示部品
２４    回線
２５    デバイス
２６    編集操作領域
２７    動作確認操作領域
２８    Ｉ／Ｏデバイス
２９    ＰＬＣ
３０    Ｉ／Ｏデバイス
３１    Ｉ／Ｏデバイス
３２    ＰＬＣ
３３    ＰＬＣ
３４    監視画像の作成装置
３５    モニター
３６    プログラム
３７    ＣＰＵ
３８    スクリプト
３９    記憶装置
４０    入力装置
４１    編集画面
４２    作業画面
４３    表示部品選択画面
４４    プロパティ画面
４５    情報表示部
４６    リンク作成部
４７    スクリプト編集部
４８    Ｖａｌｉｄａｔｅボタン
４９    編集枠
５０    製造装置
【図１】
2017062635.tif 000003
【図２】
2017062635.tif 000004
【図３】
2017062635.tif 000005
【図４】
2017062635.tif 000006
【図５】
2017062635.tif 000007
【図６】
2017062635.tif 000008